(57)【要約】【課題】３波長で４種のディスクに記録再生を行う。【解決手段】青紫色レーザー発光装置３からの青紫ＰＢＳ７に対してＰ波の光束は、１/２波長板４,青紫ＰＢＳ７,全反射ミラー８〜対物レンズ１１を通過してＢＤディスク１２に照射される。一方、赤外レーザー発光装置１,赤色レーザー発光装置２および青紫色レーザー発光装置３を出射して青紫ＰＢＳ７に至った光束は、青紫ＰＢＳ７で反射され、回折型対物レンズ１７によってＨＤ‐ＤＶＤディスク１８a,ＤＶＤディスクあるいはＣＤディスクに照射される。こうして、ＨＤ‐ＤＶＤディスク１８a,ＤＶＤディスクおよびＣＤディスクを照射する対物レンズを、ＨＤ‐ＤＶＤとＤＶＤとＣＤとに対応可能な回折型レンズ１７にすることによって、３波長で４種のディスクに書き込みまたは読み出しを行うことができる。【選択図】図１
2008130120.tif 000002
【特許請求の範囲】
【請求項１】
第１波長のレーザー光によって情報の記録再生が行われるディスク状の第１の記録媒体に対して、上記第１波長のレーザー光を出射する第１の光源と、
第２波長のレーザー光によって情報の記録再生が行われるディスク状の第２の記録媒体に対して、上記第２波長のレーザー光を出射する第２の光源と、
第３波長のレーザー光によって情報の記録再生が行われるディスク状の第３の記録媒体と、第３波長のレーザー光によって情報の記録再生が行われるディスク状の第４の記録媒体とに対して、上記第３波長のレーザー光を出射する第３の光源と、
上記第１の光源から出射された第１波長のレーザー光を上記第１の記録媒体に導く第１の光学系と、
上記第２の光源から出射された第２波長のレーザー光を上記第２の記録媒体に導く第２の光学系と、
上記第３波長のレーザー光に対して偏光ビームスプリット機能を有すると共に、上記第１波長のレーザー光および上記第２波長のレーザー光に対して波長選択性のあるダイクロイック機能を有して、上記第３の光源から出射された第３波長のレーザーの光路を、上記第３の記録媒体に向かう第１の光路と上記第４の記録媒体に向かう第２の光路とに分岐する偏光ビームスプリッターと、
上記第３の光源と上記偏光ビームスプリッターとの間における光軸上に配置されて、上記第３の光源から出射された第３波長のレーザー光の偏光方向を９０度回転させて、上記第３波長のレーザー光の光束を上記偏光ビームスプリッターによって上記第１の光路と上記第２の光路とのうちの何れか一方の側に分岐させる偏光方位切換素子と
を備え、
上記第１の光源からの第１波長のレーザー光と上記第２の光源からの第２波長のレーザー光と上記第３の光源からの第３波長のレーザー光との３波長の光によって、上記第１の記録媒体と上記第２の記録媒体と上記第３の記録媒体と上記第４の記録媒体との４種のディスク状の記録媒体に対して記録再生を行うことが可能な
ことを特徴とする光ピックアップ装置。
【請求項２】
請求項１に記載の光ピックアップ装置において、
上記偏光方位切換素子の挿入および抜き出しを行う偏光方位切換素子移動機構を備えたことを特徴とする光ピックアップ装置。
【請求項３】
請求項２に記載の光ピックアップ装置において、
上記第３の光源と上記偏光ビームスプリッターとの間における光軸上に配置されると共に、上記偏光方位切換素子と光学的に同等の厚みを有する平板ガラスあるいは透明な平板樹脂と、
上記平板ガラスあるいは上記透明な平板樹脂を、上記偏光方位切換素子が上記光軸を遮る位置から抜き出された後に、上記第３の光源と上記偏光ビームスプリッターとの間における上記偏光方位切換素子が存在していた位置に抜き出し可能に挿入する平板移動機構と
を備えたことを特徴とする光ピックアップ装置。
【請求項４】
請求項２に記載の光ピックアップ装置において、
上記偏光方位切換素子は、上記偏光方位切換素子移動機構によって、上記第３の光源と上記偏光ビームスプリッターとの間における上記光軸を遮る位置に挿入されて、上記第３の光源から出射された第３波長のレーザー光の偏光方向を９０度回転させるようになっており、
上記偏光ビームスプリッターは、上記偏光方位切換素子によって偏光方向が９０度回転された第３波長のレーザー光を、上記第４の記録媒体に向かう上記第２の光路側に分岐させるようになっていると共に、
上記偏光ビームスプリッターによって上記第２の光路側に分岐された上記第３波長のレーザー光の光束を、上記第４の記録媒体に導く上記第４の記録媒体用の対物レンズを備えて、
上記第３の光源から出射された第３波長のレーザー光によって、上記第４の記録媒体に対して情報の記録再生を行う
ことを特徴とする光ピックアップ装置。
【請求項５】
請求項２に記載の光ピックアップ装置において、
上記偏光方位切換素子は、上記偏光方位切換素子移動機構によって、上記第３の光源と上記偏光ビームスプリッターとの間における上記光軸を遮る位置から抜き出されて、上記第３の光源から出射された第３波長のレーザー光の偏光方向を変更させないようになっており、
上記偏光ビームスプリッターは、上記偏光方位切換素子によって偏光方向が変更されなかった第３波長のレーザー光を、上記第３の記録媒体に向かう上記第１の光路側に分岐させるようになっていると共に、
上記偏光ビームスプリッターによって上記第１の光路側に分岐された上記第３波長のレーザー光の光束を、上記第３の記録媒体に導く上記第３の記録媒体用の対物レンズを備えて、
上記第３の光源から出射された第３波長のレーザー光によって、上記第３の記録媒体に対して情報の記録再生を行う
ことを特徴とする光ピックアップ装置。
【請求項６】
請求項２に記載の光ピックアップ装置において、
上記偏光方位切換素子は、上記偏光方位切換素子移動機構によって、上記第３の光源と上記偏光ビームスプリッターとの間における上記光軸を遮る位置から抜き出されて、上記第３の光源から出射された第３波長のレーザー光の偏光方向を変更させないようになっており、
上記偏光ビームスプリッターは、上記偏光方位切換素子によって偏光方向が変更されなかった第３波長のレーザー光を、上記第４の記録媒体に向かう上記第２の光路側に分岐させるようになっていると共に、
上記偏光ビームスプリッターによって上記第２の光路側に分岐された上記第３波長のレーザー光の光束を、上記第４の記録媒体に導く上記第４の記録媒体用の対物レンズを備えて、
上記第３の光源から出射された第３波長のレーザー光によって、上記第４の記録媒体に対して情報の記録再生を行う
ことを特徴とする光ピックアップ装置。
【請求項７】
請求項２に記載の光ピックアップ装置において、
上記偏光方位切換素子は、上記偏光方位切換素子移動機構によって、上記第３の光源と上記偏光ビームスプリッターとの間における上記光軸を遮る位置に挿入されて、上記第３の光源から出射された第３波長のレーザー光の偏光方向を９０度回転させるようになっており、
上記偏光ビームスプリッターは、上記偏光方位切換素子によって偏光方向が９０度回転された第３波長のレーザー光を、上記第３の記録媒体に向かう上記第１の光路側に分岐させるようになっていると共に、
上記偏光ビームスプリッターによって上記第１の光路側に分岐された上記第３波長のレーザー光の光束を、上記第３の記録媒体に導く上記第３の記録媒体用の対物レンズを備えて、
上記第３の光源から出射された第３波長のレーザー光によって、上記第３の記録媒体に対して情報の記録再生を行う
ことを特徴とする光ピックアップ装置。
【請求項８】
請求項１に記載の光ピックアップ装置において、
上記第１光源から出射される上記第１波長のレーザ光は、赤外レーザ光であり、
上記第２光源から出射される上記第２波長のレーザ光は、赤色レーザ光であり、
上記第３光源から出射される上記第３波長のレーザ光は、青紫色レーザ光である
ことを特徴とする光ピックアップ装置。
【請求項９】
青紫色レーザー光によって情報の記録再生が行われるディスク状の第１の記録媒体と、青紫色レーザー光によって情報の記録再生が行われるディスク状の第２の記録媒体とに対して、上記青紫色レーザー光を出射する光源と、
上記光源から出射された青紫色レーザー光を上記第１の記録媒体に導く第１の対物レンズと、
上記光源から出射された青紫色レーザー光を上記第２の記録媒体に導く第２の対物レンズと、
上記光源から出射された青紫色レーザー光を、上記第１の対物レンズ側に向って透過させる第１の光路と上記第２の対物レンズに向って反射させる第２の光路とに分岐するハーフミラーと、
上記ハーフミラーによって上記第１の光路側に分岐された上記青紫色レーザー光を、上記第１の対物レンズに向かって反射させる反射ミラーと
を備え、
上記光源からの青紫色レーザー光の１波長によって、上記第１の記録媒体と上記第２の記録媒体との２種のディスク状の記録媒体に対して記録再生を行うことが可能な
ことを特徴とする光ピックアップ装置。
【請求項１０】
青紫色レーザー光によって情報の記録再生が行われるディスク状の第１の記録媒体と、青紫色レーザー光によって情報の記録再生が行われるディスク状の第２の記録媒体とに対して、上記青紫色レーザー光を出射する光源と、
上記光源から出射された青紫色レーザー光を上記第１の記録媒体に導く第１の対物レンズと、
上記光源から出射された青紫色レーザー光を上記第２の記録媒体に導く第２の対物レンズと、
上記光源から出射された青紫色レーザー光を、上記第２の対物レンズ側に向って透過させる第１の光路と上記第１の対物レンズに向って反射させる第２の光路とに分岐するハーフミラーと、
上記ハーフミラーによって上記第１の光路側に分岐された上記青紫色レーザー光を、上記第２の対物レンズに向かって反射させる反射ミラーと
を備え、
上記光源からの青紫色レーザー光の１波長によって、上記第１の記録媒体と上記第２の記録媒体との２種のディスク状の記録媒体に対して記録再生を行うことが可能な
ことを特徴とする光ピックアップ装置。
【請求項１１】
請求項９あるいは請求項１０に記載の光ピックアップ装置において、
上記第１の対物レンズは、上記第１の記録媒体専用の対物レンズであり、
上記第２の対物レンズは、上記第２の記録媒体と、信号読み取り側の透明カバーの厚みが最も厚く、赤外レーザー光によって情報の記録再生が行われるディスク状の第３の記録媒体と、信号読み取り側の透明カバーの厚みが上記第３の記録媒体よりも薄く、赤色レーザー光によって情報の記録再生が行われるディスク状の第４の記録媒体と、にも対応可能な回折型対物レンズである
ことを特徴とする光ピックアップ装置。
【請求項１２】
請求項９あるいは請求項１０に記載の光ピックアップ装置において、
上記ハーフミラーは、
当該ハーフミラーによって反射された上記青紫色レーザー光が導かれる方の記録媒体が再生専用の記録媒体であり、他方の記録媒体が再生と記録とが行われる記録媒体である場合には、反射率を透過率よりも低く設定されており、
当該ハーフミラーによって反射された上記青紫色レーザー光が導かれる方の記録媒体が再生と記録とが行われる記録媒体であり、他方の記録媒体が再生専用の記録媒体である場合には、反射率を透過率よりも高く設定されている
ことを特徴とする光ピックアップ装置。
【発明の詳細な説明】
【技術分野】
【０００１】
この発明は、ディスク状記録媒体に対して情報を光学的に記録再生する光ピックアップ装置に関する。
【背景技術】
【０００２】
レーザービーム等の光ビームを用いて光学的に信号の読み取りが行われる光ディスクとして、信号読み取り側(光入射側)の透明カバーの厚みが最も厚く、赤外レーザー光を出射する光源を用いて情報の記録と再生とが行われるＣＤ(Compact Disc)が普及している。また、さらなる大容量のニーズに応えて、ＣＤと同一ディスク径を有して機構的な互換性を確保した上で、ＣＤよりも高密度記録とすることによって大容量化が図られた高密ディスクとして、信号読み取り側の透明カバーの厚みが上記ＣＤよりは薄く、赤色レーザー光を出射する光源を用いて情報の記録再生が行われるＤＶＤ(Digital Versatile Disc)や、信号読み取り側の透明カバーの厚みが上記ＤＶＤよりも薄く、さらに波長の短い青紫色レーザー光を出射する光源を用いて情報の記録再生が行われる超高密度のＢＤ(Blu-ray Disc)や、信号読み取り側(光入射側)の透明カバーの厚みが上記ＣＤよりは薄く、且つ、上記ＢＤよりは厚く、青紫色レーザー光を出射する光源を用いて情報の記録再生が行われるＨＤ‐ＤＶＤ(High Definition DVD)が提案されている。
【０００３】
ところで、光ピックアップ装置をＣＤと高密度ディスクであるＤＶＤと超高密度ディスクであるＢＤあるいはＨＤ‐ＤＶＤとの波長の異なる３種の信号読み取りに対応させるには、３種の波長の光ビームを出射するレーザーダイオードおよび３種の波長に対応した光学系が必要であり、信号読み取りを行う記録媒体の記録密度に応じて使用する光源や光学系を切り換えることが必要である。例えば、ＢＤ,ＤＶＤ,ＣＤおよびＨＤ‐ＤＶＤ,ＤＶＤ,ＣＤと言う３種のディスクに対応するピックアップについては、３種の使用波長が夫々異なるという点を利用して構成することが可能である(例えば、特開２００５‐３５３２５９号公報(特許文献１),特開２００５‐３５３２５０号公報(特許文献２)),特開２００６‐４０４１１号公報(特許文献３))。
【０００４】
しかしながら、上記従来の３種の使用波長が夫々異なるという点を利用して構成された光ピックアップには、以下のような問題がある。
【０００５】
すなわち、最短波長の青紫色レーザーを用いるＢＤとＨＤ‐ＤＶＤとでは光ディスクにおける信号読み取り側(光入射側)の透明カバー層の厚みが異なり、同一の光ピックアップによってＢＤとＨＤ‐ＤＶＤとに対して記録再生することは困難である。つまり、同一の光ピックアップによってＣＤとＤＶＤとＨＤ‐ＤＶＤとＢＤとの総てのディスクを記録再生することは困難である。
【０００６】
そのため、ＢＤ(ＤＶＤ,ＣＤ)対応の光ピックアップとＨＤ‐ＤＶＤ(ＤＶＤ,ＣＤ)対応の光ピックアップとして各々別の光ピックアップを用意する必要があり、ＢＤとＨＤ‐ＤＶＤとの両方を記録再生するにはドライブ装置を２台用意する必要がある。したがって、商品全体の大型化とコストアップとを招くという問題がある。
【特許文献１】特開２００５‐３５３２５９号公報
【特許文献２】特開２００５‐３５３２５０号公報
【特許文献３】特開２００６‐４０４１１号公報
【発明の開示】
【発明が解決しようとする課題】
【０００７】
そこで、この発明の課題は、３波長によって４種のディスクに情報の記録再生を行うことができる光学式ピックアップ、あるいは、ＢＤとＨＤ‐ＤＶＤとの両ディスクに情報の記録再生を行うことができる光学式ピックアップを提供することにある。
【課題を解決するための手段】
【０００８】
上記課題を解決するため、この発明の光ピックアップ装置は、
第１波長のレーザー光によって情報の記録再生が行われるディスク状の第１の記録媒体に対して、上記第１波長のレーザー光を出射する第１の光源と、
第２波長のレーザー光によって情報の記録再生が行われるディスク状の第２の記録媒体に対して、上記第２波長のレーザー光を出射する第２の光源と、
第３波長のレーザー光によって情報の記録再生が行われるディスク状の第３の記録媒体と、第３波長のレーザー光によって情報の記録再生が行われるディスク状の第４の記録媒体とに対して、上記第３波長のレーザー光を出射する第３の光源と、
上記第１の光源から出射された第１波長のレーザー光を上記第１の記録媒体に導く第１の光学系と、
上記第２の光源から出射された第２波長のレーザー光を上記第２の記録媒体に導く第２の光学系と、
上記第３波長のレーザー光に対して偏光ビームスプリット機能を有すると共に、上記第１波長のレーザー光および上記第２波長のレーザー光に対して波長選択性のあるダイクロイック機能を有して、上記第３の光源から出射された第３波長のレーザーの光路を、上記第３の記録媒体に向かう第１の光路と上記第４の記録媒体に向かう第２の光路とに分岐する偏光ビームスプリッターと、
上記第３の光源と上記偏光ビームスプリッターとの間における光軸上に配置されて、上記第３の光源から出射された第３波長のレーザー光の偏光方向を９０度回転させて、上記第３波長のレーザー光の光束を上記偏光ビームスプリッターによって上記第１の光路と上記第２の光路とのうちの何れか一方の側に分岐させる偏光方位切換素子と
を備え、
上記第１の光源からの第１波長のレーザー光と上記第２の光源からの第２波長のレーザー光と上記第３の光源からの第３波長のレーザー光との３波長の光によって、上記第１の記録媒体と上記第２の記録媒体と上記第３の記録媒体と上記第４の記録媒体との４種のディスク状の記録媒体に対して記録再生を行うことが可能な
ことを特徴としている。
【０００９】
上記構成によれば、第３波長のレーザー光に対して偏光ビームスプリット機能を有すると共に、第１波長のレーザー光および第２波長のレーザー光に対して波長選択性のあるダイクロイック機能を有して、第３の光源からの第３波長のレーザーの光路を第１の光路と第２の光路とに分岐する偏光ビームスプリッターと、上記第３の光源からの第３波長のレーザー光の偏光方向を９０度回転させて、上記偏光ビームスプリッターによって上記第１の光路と上記第２の光路との何れか一方の側に分岐させるようにする偏光方位切換素子とを備えたので、上記偏光方位切換素子を使用する場合と使用しない場合とによって、上記第３の光源からの第３波長のレーザー光の１波長によって、信号読み取り側の透明カバーの厚みが最も薄い上記第４の記録媒体と信号読み取り側の透明カバーの厚みが上記第４の記録媒体よりは厚い上記第３の記録媒体とに対して記録再生を行うことができる。
【００１０】
したがって、第１の光源から出射された第１波長のレーザー光を、信号読み取り側の透明カバーの厚みが最も厚い第１の記録媒体に導く第１の光学系と、第２の光源から出射された第２波長のレーザー光を、信号読み取り側の透明カバーの厚みが上記第１の記録媒体よりも薄い第２の記録媒体に導く第２の光学系とを、併用すれば、３波長の光によって４種のディスク状の記録媒体に対して記録再生を行うことができる。
【００１１】
また、この発明の光ピックアップ装置は、
上記偏光方位切換素子の挿入および抜き出しを行う偏光方位切換素子移動機構を備えている。
【００１２】
この実施の形態によれば、上記偏光方位切換素子を、偏光方位切換素子移動機構によって、第３の記録媒体と第４の記録媒体とのうち情報の記録再生が行われる方の記録媒体に応じて、上記第３の光源と上記偏光ビームスプリッターとの間に挿入および抜き出しを行うことによって、上記第３の光源からの第３波長のレーザー光の１波長によって、信号読み取り側の透明カバーの厚みが最も薄い上記第４の記録媒体と信号読み取り側の透明カバーの厚みが上記第４の記録媒体よりは厚い上記第３の記録媒体とに対して記録再生を行うことができる。
【００１３】
また、この発明の光ピックアップ装置は、
上記第３の光源と上記偏光ビームスプリッターとの間における光軸上に配置されると共に、上記偏光方位切換素子と光学的に同等の厚みを有する平板ガラスあるいは透明な平板樹脂と、
上記平板ガラスあるいは上記透明な平板樹脂を、上記偏光方位切換素子が上記光軸を遮る位置から抜き出された後に、上記第３の光源と上記偏光ビームスプリッターとの間における上記偏光方位切換素子が存在していた位置に抜き出し可能に挿入する平板移動機構と
を備えている。
【００１４】
この実施の形態によれば、上記偏光方位切換素子が上記第３の光源と上記偏光ビームスプリッターとの間における光軸を遮る位置から抜き出された後に、平板ガラスあるいは平板樹脂を上記偏光方位切換素子が存在していた位置に抜き出し可能に挿入するので、例えばコリメートレンズにおけるカバーガラスの設計厚みを変えること無く、上記偏光方位切換素子の有無に関係なく安定して良好な集光スポットを得ることができる。
【００１５】
また、この発明の光ピックアップ装置は、
上記偏光方位切換素子は、上記偏光方位切換素子移動機構によって、上記第３の光源と上記偏光ビームスプリッターとの間における上記光軸を遮る位置に挿入されて、上記第３の光源から出射された第３波長のレーザー光の偏光方向を９０度回転させるようになっており、
上記偏光ビームスプリッターは、上記偏光方位切換素子によって偏光方向が９０度回転された第３波長のレーザー光を、上記第４の記録媒体に向かう上記第２の光路側に分岐させるようになっていると共に、
上記偏光ビームスプリッターによって上記第２の光路側に分岐された上記第３波長のレーザー光の光束を、上記第４の記録媒体に導く上記第４の記録媒体用の対物レンズを備えて、
上記第３の光源から出射された第３波長のレーザー光によって、上記第４の記録媒体に対して情報の記録再生を行う。
【００１６】
この実施の形態によれば、上記第３の光源と上記偏光ビームスプリッターとの間に挿入された上記偏光方位切換素子によって、上記第３の光源から、例えば、上記偏光ビームスプリッターに対してＰ波で出射された第３波長のレーザー光の偏光方向を９０度回転させて、Ｓ波にして上記偏光ビームスプリッターに入射させ、この偏光ビームスプリッターで反射されて上記第１の光路から分岐された上記第３波長のレーザー光の光束を対物レンズによって上記第４の記録媒体に導くので、上記偏光ビームスプリッターでの反射をＳ波とすることによって、安定した分岐特性を得ることができる。
【００１７】
また、この発明の光ピックアップ装置は、
上記偏光方位切換素子は、上記偏光方位切換素子移動機構によって、上記第３の光源と上記偏光ビームスプリッターとの間における上記光軸を遮る位置から抜き出されて、上記第３の光源から出射された第３波長のレーザー光の偏光方向を変更させないようになっており、
上記偏光ビームスプリッターは、上記偏光方位切換素子によって偏光方向が変更されなかった第３波長のレーザー光を、上記第３の記録媒体に向かう上記第１の光路側に分岐させるようになっていると共に、
上記偏光ビームスプリッターによって上記第１の光路側に分岐された上記第３波長のレーザー光の光束を、上記第３の記録媒体に導く上記第３の記録媒体用の対物レンズを備えて、
上記第３の光源から出射された第３波長のレーザー光によって、上記第３の記録媒体に対して情報の記録再生を行う。
【００１８】
この実施の形態によれば、上記第３の光源と上記偏光ビームスプリッターとの間に上記偏光方位切換素子を無くし、上記第３の光源から、例えば上記偏光ビームスプリッターに対してＰ波で出射された第３波長のレーザー光を、その偏光方向はそのままに上記偏光ビームスプリッターに入射させ、この偏光ビームスプリッターを透過して上記第２の光路から分岐された上記第３波長のレーザー光の光束を対物レンズによって上記第３の記録媒体に導くので、上記偏光ビームスプリッターでの透過をＰ波とすることによって、安定した分岐特性を得ることができる。
【００１９】
また、この発明の光ピックアップ装置は、
上記偏光方位切換素子は、上記偏光方位切換素子移動機構によって、上記第３の光源と上記偏光ビームスプリッターとの間における上記光軸を遮る位置から抜き出されて、上記第３の光源から出射された第３波長のレーザー光の偏光方向を変更させないようになっており、
上記偏光ビームスプリッターは、上記偏光方位切換素子によって偏光方向が変更されなかった第３波長のレーザー光を、上記第４の記録媒体に向かう上記第２の光路側に分岐させるようになっていると共に、
上記偏光ビームスプリッターによって上記第２の光路側に分岐された上記第３波長のレーザー光の光束を、上記第４の記録媒体に導く上記第４の記録媒体用の対物レンズを備えて、
上記第３の光源から出射された第３波長のレーザー光によって、上記第４の記録媒体に対して情報の記録再生を行う。
【００２０】
この実施の形態によれば、上記第３の光源と上記偏光ビームスプリッターとの間に上記偏光方位切換素子を無くし、上記第３の光源から、例えば上記偏光ビームスプリッターに対してＰ波で出射された第３波長のレーザー光を、その偏光方向はそのままに上記偏光ビームスプリッターに入射させ、この偏光ビームスプリッターで反射されて上記第１の光路から分岐された上記第３波長のレーザーの光束を対物レンズによって上記第４の記録媒体に導くので、上記偏光ビームスプリッターでの反射をＰ波とすることによって、安定した分岐特性を得ることができる。
【００２１】
また、この発明の光ピックアップ装置は、
上記偏光方位切換素子は、上記偏光方位切換素子移動機構によって、上記第３の光源と上記偏光ビームスプリッターとの間における上記光軸を遮る位置に挿入されて、上記第３の光源から出射された第３波長のレーザー光の偏光方向を９０度回転させるようになっており、
上記偏光ビームスプリッターは、上記偏光方位切換素子によって偏光方向が９０度回転された第３波長のレーザー光を、上記第３の記録媒体に向かう上記第１の光路側に分岐させるようになっていると共に、
上記偏光ビームスプリッターによって上記第１の光路側に分岐された上記第３波長のレーザー光の光束を、上記第３の記録媒体に導く上記第３の記録媒体用の対物レンズを備えて、
上記第３の光源から出射された第３波長のレーザー光によって、上記第３の記録媒体に対して情報の記録再生を行う。
【００２２】
この実施の形態によれば、上記第３の光源と上記偏光ビームスプリッターとの間に挿入された上記偏光方位切換素子によって、上記第３の光源から、例えば、上記偏光ビームスプリッターに対してＰ波で出射された第３波長のレーザー光の偏光方向を９０度回転させて、Ｓ波にして上記偏光ビームスプリッターに入射させ、この偏光ビームスプリッターを透過して上記第２の光路から分岐された上記第３波長のレーザーの光束を対物レンズによって上記第３の記録媒体に導くので、上記偏光ビームスプリッターでの透過をＳ波とすることによって、安定した分岐特性を得ることができる。
【００２３】
また、１実施の形態の光ピックアップ装置では、
上記第１光源から出射される上記第１波長のレーザ光は、赤外レーザ光であり、
上記第２光源から出射される上記第２波長のレーザ光は、赤色レーザ光であり、
上記第３光源から出射される上記第３波長のレーザ光は、青紫色レーザ光である。
【００２４】
この実施の形態によれば、上記第１光源からは最長波長の赤外レーザ光が出射され、上記第２光源からは中間波長の赤色レーザ光が出射され、上記第３光源からは最短波長の青紫色レーザ光が出射される。したがって、上記赤外レーザ光と上記赤色レーザ光と上記青紫色レーザ光との３波長の光によって、上記４種のディスク状の記録媒体に対して記録再生を行うことができる。
【００２５】
また、この発明の光ピックアップ装置は、
青紫色レーザー光によって情報の記録再生が行われるディスク状の第１の記録媒体と、青紫色レーザー光によって情報の記録再生が行われるディスク状の第２の記録媒体とに対して、上記青紫色レーザー光を出射する光源と、
上記光源から出射された青紫色レーザー光を上記第１の記録媒体に導く第１の対物レンズと、
上記光源から出射された青紫色レーザー光を上記第２の記録媒体に導く第２の対物レンズと、
上記光源から出射された青紫色レーザー光を、上記第１の対物レンズ側に向って透過させる第１の光路と上記第２の対物レンズに向って反射させる第２の光路とに分岐するハーフミラーと、
上記ハーフミラーによって上記第１の光路側に分岐された上記青紫色レーザー光を、上記第１の対物レンズに向かって反射させる反射ミラーと
を備え、
上記光源からの青紫色レーザー光の１波長によって、上記第１の記録媒体と上記第２の記録媒体との２種のディスク状の記録媒体に対して記録再生を行うことが可能な
ことを特徴としている。
【００２６】
上記構成によれば、光源から出射された青紫色レーザー光を、ハーフミラーによって、第１の対物レンズ側に向って透過させる第１の光路と第２の対物レンズに向って反射させる第２の光路とに分岐し、上記第２の対物レンズに向って反射された青紫色レーザー光を上記第２の対物レンズによって第２の記録媒体に導く一方、上記第１の対物レンズ側に向って透過された青紫色レーザー光を反射ミラーによって上記第１の対物レンズに向かって反射し、上記第１の対物レンズによって第１の記録媒体に導くので、上記光源からの青紫色レーザー光の１波長によって、信号読み取り側の透明カバーの厚みが最も薄い上記第１の記録媒体と信号読み取り側の透明カバーの厚みが上記第１の記録媒体よりは厚い上記第２の記録媒体とに対して記録再生を行うことができる。
【００２７】
したがって、第２の光源から出射された赤外レーザー光を、信号読み取り側の透明カバーの厚みが最も厚い第３の記録媒体に導く第１の光学系と、第３の光源から出射された赤色レーザー光を、信号読み取り側の透明カバーの厚みが上記第３の記録媒体よりも薄い第４の記録媒体に導く第２の光学系とを、併用すれば、３波長の光によって４種のディスク状の記録媒体に対して記録再生を行うことが可能になる。
【００２８】
また、この発明の光ピックアップ装置は、
青紫色レーザー光によって情報の記録再生が行われるディスク状の第１の記録媒体と、青紫色レーザー光によって情報の記録再生が行われるディスク状の第２の記録媒体とに対して、上記青紫色レーザー光を出射する光源と、
上記光源から出射された青紫色レーザー光を上記第１の記録媒体に導く第１の対物レンズと、
上記光源から出射された青紫色レーザー光を上記第２の記録媒体に導く第２の対物レンズと、
上記光源から出射された青紫色レーザー光を、上記第２の対物レンズ側に向って透過させる第１の光路と上記第１の対物レンズに向って反射させる第２の光路とに分岐するハーフミラーと、
上記ハーフミラーによって上記第１の光路側に分岐された上記青紫色レーザー光を、上記第２の対物レンズに向かって反射させる反射ミラーと
を備え、
上記光源からの青紫色レーザー光の１波長によって、上記第１の記録媒体と上記第２の記録媒体との２種のディスク状の記録媒体に対して記録再生を行うことが可能な
ことを特徴としている。
【００２９】
上記構成によれば、光源から出射された青紫色レーザー光を、ハーフミラーによって、第２の対物レンズ側に向って透過させる第１の光路と第１の対物レンズに向って反射させる第２の光路とに分岐し、上記第１の対物レンズに向って反射された青紫色レーザー光を上記第１の対物レンズによって第１の記録媒体に導く一方、上記第２の対物レンズ側に向って透過された青紫色レーザー光を反射ミラーによって上記第２の対物レンズに向かって反射し、上記第２の対物レンズによって第２の記録媒体に導くので、上記光源からの青紫色レーザー光の１波長によって、信号読み取り側の透明カバーの厚みが最も薄い上記第１の記録媒体と信号読み取り側の透明カバーの厚みが上記第１の記録媒体よりは厚い上記第２の記録媒体とに対して記録再生を行うことができる。
【００３０】
したがって、第２の光源から出射された赤外レーザー光を、信号読み取り側の透明カバーの厚みが最も厚い第３の記録媒体に導く第１の光学系と、第３の光源から出射された赤色レーザー光を、信号読み取り側の透明カバーの厚みが上記第３の記録媒体よりも薄い第４の記録媒体に導く第２の光学系とを、併用すれば、３波長の光によって４種のディスク状の記録媒体に対して記録再生を行うことが可能になる。
【００３１】
また、１実施の形態の光ピックアップ装置では、
上記第１の対物レンズは、上記第１の記録媒体専用の対物レンズであり、
上記第２の対物レンズは、上記第２の記録媒体と、信号読み取り側の透明カバーの厚みが最も厚く、赤外レーザー光によって情報の記録再生が行われるディスク状の第３の記録媒体と、信号読み取り側の透明カバーの厚みが上記第３の記録媒体よりも薄く、赤色レーザー光によって情報の記録再生が行われるディスク状の第４の記録媒体と、にも対応可能な回折型対物レンズである。
【００３２】
この実施の形態によれば、上記第２の対物レンズを、上記第２の記録媒体の他に第３の記録媒体と第４の記録媒体とにも対応可能な回折型対物レンズで構成するので、上記第２の光源から出射された赤外レーザー光を上記第３の記録媒体に導く第１の光学系と、上記第３の光源から出射された赤色レーザー光を第４の記録媒体に導く第２の光学系とを、上記回折型対物レンズを含んで構成することによって、複雑な機構を必要とはせず、低コストな構成によって、３波長の光によって４種のディスク状の記録媒体に対して記録再生を行うことができる。
【００３３】
また、１実施の形態の光ピックアップ装置では、
上記ハーフミラーは、
当該ハーフミラーによって反射された上記青紫色レーザー光が導かれる方の記録媒体が再生専用の記録媒体であり、他方の記録媒体が再生と記録とが行われる記録媒体である場合には、反射率を透過率よりも低く設定されており、
当該ハーフミラーによって反射された上記青紫色レーザー光が導かれる方の記録媒体が再生と記録とが行われる記録媒体であり、他方の記録媒体が再生専用の記録媒体である場合には、反射率を透過率よりも高く設定されている。
【００３４】
この実施の形態によれば、上記ハーフミラーによって分岐された２つの光路が到達する２つの記録媒体の一方が再生専用の記録媒体である場合には、再生と記録とが行われる記録媒体に到達する方の光路に分岐する光量を大きくするので、光源のレーザーパワーに負荷を掛ける必要がなく、消費エネルギーの少ない光ピックアップ装置を実現することができる。
【発明の効果】
【００３５】
以上より明らかなように、この発明の光ピックアップ装置は、第３の光源と上記第３の光源からの第３波長のレーザーの光路を第１の光路と第２の光路とに分岐する偏光ビームスプリッターとの間に配置されて、上記第３の光源からの第３波長のレーザー光の偏光方向を９０度回転させる偏光方位切換素子を備えたので、上記偏光方位切換素子を使用する場合と使用しない場合とによって、上記第３の光源からの第３波長のレーザー光の１波長によって、信号読み取り側の透明カバーの厚みが異なる上記第４の記録媒体と上記第３の記録媒体とに対して記録再生を行うことができる。
【００３６】
したがって、第１の光源から出射された第１波長のレーザー光を、信号読み取り側の透明カバーの厚みが最も厚い第１の記録媒体に導く第１の光学系と、第２の光源から出射された第２波長のレーザー光を、信号読み取り側の透明カバーの厚みが上記第１の記録媒体よりも薄い第２の記録媒体に導く第２の光学系とを、併用すれば、３波長の光によって４種のディスク状の記録媒体に対して記録再生を行うことができる。
【００３７】
また、この発明の光ピックアップ装置は、光源から出射された青紫色レーザー光を、ハーフミラーによって、第１の対物レンズ側に向って透過させる第１の光路と第２の対物レンズに向って反射させる第２の光路とに分岐し、上記第１の対物レンズ側に向って透過された青紫色レーザー光を反射ミラーによって上記第１の対物レンズに向かって反射するので、上記光源からの青紫色レーザー光の１波長によって、信号読み取り側の透明カバーの厚みが最も薄い上記第１の記録媒体と信号読み取り側の透明カバーの厚みが上記第１の記録媒体よりは厚い上記第２の記録媒体とに対して記録再生を行うことができる。
【００３８】
したがって、第２の光源から出射された赤外レーザー光を、信号読み取り側の透明カバーの厚みが最も厚い第３の記録媒体に導く第１の光学系と、第３の光源から出射された赤色レーザー光を、信号読み取り側の透明カバーの厚みが上記第３の記録媒体よりも薄い第４の記録媒体に導く第２の光学系とを、併用すれば、３波長の光によって４種のディスク状の記録媒体に対して記録再生を行うことが可能になる。
【００３９】
また、この発明の光ピックアップ装置は、光源から出射された青紫色レーザー光を、ハーフミラーによって、第２の対物レンズ側に向って透過させる第１の光路と第１の対物レンズに向って反射させる第２の光路とに分岐し、上記第２の対物レンズ側に向って透過された青紫色レーザー光を反射ミラーによって上記第２の対物レンズに向かって反射するので、上記光源からの青紫色レーザー光の１波長によって、信号読み取り側の透明カバーの厚みが最も薄い上記第１の記録媒体と信号読み取り側の透明カバーの厚みが上記第１の記録媒体よりは厚い上記第２の記録媒体とに対して記録再生を行うことができる。
【００４０】
したがって、第２の光源から出射された赤外レーザー光を、信号読み取り側の透明カバーの厚みが最も厚い第３の記録媒体に導く第１の光学系と、第３の光源から出射された赤色レーザー光を、信号読み取り側の透明カバーの厚みが上記第３の記録媒体よりも薄い第４の記録媒体に導く第２の光学系とを、併用すれば、３波長の光によって４種のディスク状の記録媒体に対して記録再生を行うことが可能になる。
【発明を実施するための最良の形態】
【００４１】
以下、この発明を図示の実施の形態により詳細に説明する。
【００４２】
・第１実施の形態
図１は、本実施の形態の光ピックアップ装置における構成を示す図である。図１において、１は上記第１の光源としての赤外レーザー発光装置であり、２は上記第２の光源としての赤色レーザー発光装置であり、３は上記第３の光源としての青紫色レーザー発光装置である。また、４は光束に対して出し入れ可能な移動機構を有する上記偏光方位切換素子としての１/２波長板であり、５は赤外波長域での偏光ビームスプリット機能(以下、ＰＢＳ機能と言う)と赤色および青紫色に対するダイクロイック機能とを有するプリズムである赤外偏光ビームスプリッター(以下、ＰＢＳと言う)であり、６は赤波長域でのＰＢＳ機能と赤外および青紫色に対するダイクロイック機能とを有するプリズムである赤ＰＢＳであり、７は青紫波長域でのＰＢＳ機能と赤外および赤色に対するダイクロイック機能とを有するプリズムである青紫ＰＢＳである。
【００４３】
図１において、上記青紫色レーザー発光装置３から出射された青紫ＰＢＳ７に対してＰ波の光束は、１/２波長板４で偏光方向が９０度回転され、青紫ＰＢＳ７に対してＳ波となって青紫ＰＢＳ７に入射する。青紫ＰＢＳ７のＰＢＳ面で反射された光束は、全反射ミラー８で反射されて１/４波長板９によって円偏光に変換され、収差補正機能が付加されたコリメートレンズ１０に入射して平行光となる。さらに、対物レンズ１１によってＢＤディスク１２に照射されて、信号の書き込みあるいは読み出しが行われる。
【００４４】
上記ＢＤディスク１２からの反射光は円偏光の回転方向が反射前と反転しており、１/４波長板９によって円偏光から直線偏光に変換されて青紫ＰＢＳ７にＰ波で入射する。ここで、この場合における直線偏光の方向は元の(入射時の)直線偏光から９０度方向の異なる方向である。そして、青紫ＰＢＳ７に入射した光は青紫ＰＢＳ７を透過し、赤ＰＢＳ６および赤外ＰＢＳ５を透過し、シリンドリカルレンズ１３によってフォーカスエラー信号が生成され、受光素子１４でＲＦ信号とトラッキングエラー信号とフォーカスエラー信号とが検出される。
【００４５】
図２は、上記受光素子１４のパターンを拡大したものであり、一般的なメインビームとサブビームの受光状態を表したものである。図２において、センタースポットＳＭで、ＢＤディスク１２からのＲＦ信号とトラッキングエラー信号とにおけるメインビームのプッシュプル成分が検出される。また、サブビームＳＳ１とサブビームＳＳ２とで、トラッキングエラー信号のサブビ−ムのプッシュプル成分が検出される。
【００４６】
図３および図４は、ＨＤ‐ＤＶＤに対する動作を説明する図である。図３において、青紫色レーザー発光装置３を出射した青紫ＰＢＳ７に対してＰ波の光束は、１/２波長板４が光路から外されているので、そのままのＰ波偏光方向で青紫ＰＢＳ７に入射する。Ｐ波であるため青紫ＰＢＳ７のＰＢＳ面を透過した光束は、１/４波長板１５で円偏光に変換されてコリメートレンズ１６に入射し、コリメートレンズ１６で平行光になる。さらに、ＣＤとＤＶＤとＨＤ‐ＤＶＤとに対応可能な回折型対物レンズ１７によってＨＤ‐ＤＶＤディスク１８aに照射されて、信号の書き込みあるいは読み出しが行われる。
【００４７】
上記ＨＤ‐ＤＶＤディスク１８aからの反射光は円偏光の回転方向が反射前と反転しており、上記１/４波長板１５によって円偏光から直線偏光に変換されて青紫ＰＢＳ７にＳ波で入射する。尚、この場合における直線偏向の方向は、元の(入射時の)直線偏光から９０度方向の異なる方向である。そして、青紫ＰＢＳ７に入射した光は青紫ＰＢＳ７で反射され、赤ＰＢＳ６および赤外ＰＢＳ５を透過してシリンドリカルレンズ１３によってフォーカスエラー信号が生成され、受光素子１４でＲＦ信号とトラッキングエラー信号とフォーカスエラー信号とが検出される。
【００４８】
図４は、図３における構成の変形例であり、光束に対して出し入れ可能な機構を有する１/２波長板４を光束中から外すと同時に、１/２波長板４と光学的に厚みが同等の機能を有する平板ガラスあるいは平板樹脂４aを、１/２波長板４が在った位置で光束中に挿入する。こうすることによって、コリメートレンズ１６が有する収差補正量を変化させることなく良好な平行光を回折型対物レンズ１７に導くことが可能になるのである。
【００４９】
図５は、ＤＶＤに対する動作を説明する図である。図５において、赤色レーザー発光装置２を出射した赤ＰＢＳ６に対してＰ波の光束は、赤ＰＢＳ６で反射され、青紫ＰＢＳ７で再度反射される。その後、ＨＤ‐ＤＶＤの場合と同様に、１/４波長板１５で円偏光に変換され、コリメートレンズ１６で平行光になり、回折型対物レンズ１７によってＤＶＤディスク１８bに照射されて、信号の書き込みあるいは読み出しが行われる。
【００５０】
ここで、ＨＤ‐ＤＶＤディスク１８aとＤＶＤディスク１８bとに対して同じ回折型対物レンズ１７で光束を導く理由は、ＨＤ‐ＤＶＤディスク１８aとＤＶＤディスク１８bとのディスクの保護層厚みは何れも約０.６mmであり、回折型対物レンズ１７を容易に設計できるからである。その結果、本実施の形態においては、対物レンズ１１のみをＢＤ専用とし、他のＨＤ‐ＤＶＤとＤＶＤとＣＤとは共通の回折型対物レンズ１７を使用することができるのである。
【００５１】
さらに、上記ＨＤ‐ＤＶＤの場合と同様に、円偏光の回転方向が反射前と反転しているＤＶＤディスク１８bからの反射光は、１/４波長板１５によって円偏光から直線偏光に変換されて青紫ＰＢＳ７にＳ波で入射する。尚、この場合における直線偏向の方向は、元の(入射時の)直線偏光から９０度方向の異なる方向である。そして、青紫ＰＢＳ７に入射した光は青紫ＰＢＳ７で反射され、赤ＰＢＳ６および赤外ＰＢＳ５を透過してシリンドリカルレンズ１３によってフォーカスエラー信号が生成され、受光素子１４でＲＦ信号とトラッキングエラー信号とフォーカスエラー信号とが検出される。
【００５２】
図６は、ＣＤに対する動作を説明する図である。図６において、赤外レーザー発光装置１を出射した赤外ＰＢＳ５に対してＰ波の光束は、赤外ＰＢＳ５で反射され、赤ＰＢＳ６を透過し、青紫ＰＢＳ７で再度反射される。その後、ＨＤ‐ＤＶＤの場合と同様に、１/４波長板１５で円偏光に変換され、コリメートレンズ１６で平行光になり、回折型対物レンズ１７によってＣＤディスク１８cに照射されて、信号の書き込みまたは読み出しが行われる。
【００５３】
さらに、上記ＨＤ‐ＤＶＤの場合と同様に、円偏光の回転方向が反射前と反転しているＣＤディスク１８cからの反射光は、１/４波長板１５によって円偏光から直線偏光に変換されて、青紫ＰＢＳ７にＳ波で入射する。尚、この場合における直線偏向の方向は、元の(入射時の)直線偏光から９０度方向の異なる方向である。そして、青紫ＰＢＳ７に入射した光は青紫ＰＢＳ７で反射され、赤ＰＢＳ６および赤外ＰＢＳ５を透過し、シリンドリカルレンズ１３によってフォーカスエラー信号が生成され、受光素子１４でＲＦ信号とトラッキングエラー信号とフォーカスエラー信号とが検出される。
【００５４】
以上のごとく、本実施の形態においては、ＢＤディスク１２とＨＤ‐ＤＶＤディスク１８aとに応じて、１/２波長板４を青紫色レーザー発光装置３と青紫ＰＢＳ７との間で光束に対して出し入れ可能にしている。したがって、１/２波長板４の出し入れによって、青紫色レーザー発光装置３からの出射光の偏光方向を変えて、青紫ＰＢＳ７によってＢＤディスク１２に向かう光路とＨＤ‐ＤＶＤディスク１８aに向かう光路とに分岐することができる。こうして、唯一つの青紫色レーザー発光装置３を用いて、ＢＤディスク１２とＨＤ‐ＤＶＤディスク１８aとに対して信号の書き込みあるいは読み出しを行うことができるのである。
【００５５】
また、上記青紫ＰＢＳ７は、赤外および赤色に対してはダイクロイック機能を有している。したがって、青紫色レーザー発光装置３からの光束に対して出し入れ可能な１/２波長板４を組み合わせることによって、同一の３波長光ピックアップ装置によって、ＣＤとＤＶＤとＨＤ‐ＤＶＤとＢＤとの総てのディスクに対して記録再生を行うことが可能になる。
【００５６】
また、上記１/２波長板４を青紫色レーザー発光装置３からの光束から外すと同時に、１/２波長板４と光学的に厚みが同等の平板ガラスあるいは平板樹脂４aを挿入するようにすれば、コリメートレンズ１６のカバーガラス設計厚み(つまり、収差補正量)を変化させることなく、１/２波長板４の有無に関係なく安定して良好な集光スポットを得ることができる。
【００５７】
その場合における上記１/２波長板４の挿入および抜き出しを行う上記１/２波長板移動機構(図示せず)、および、平板ガラスあるいは平板樹脂４aの挿入および抜き出しを行う上記平板移動機構(図示せず)の構成について、特に限定するものではない。例えば、ＢＤディスク１２が装着されたことを検知した場合には、上記平板移動機構によって平板ガラスあるいは平板樹脂４aを抜き出す一方、上記１/２波長板移動機構によって１/２波長板４の挿入を行う。これに対して、ＨＤ‐ＤＶＤディスク１８aが装着されたことを検知した場合には、上記１/２波長板移動機構によって１/２波長板４を挿入する一方、上記平板移動機構によって平板ガラスあるいは平板樹脂４aの抜き出しを行うような機構であればよい。
【００５８】
また、上記青紫色レーザー発光装置３から出射された光束を青紫ＰＢＳ７に対してＰ波とし、１/２波長板４によって偏光方向を９０度回転させてＳ波として青紫ＰＢＳ７に入射させ、青紫ＰＢＳ７のＰＢＳ面で反射させるようにしている。さらに、上記青紫色レーザー発光装置３から出射された青紫ＰＢＳ７に対してＰ波の光束を、偏光方向を変えずにＰ波で青紫ＰＢＳ７に入射させ、青紫ＰＢＳ７をＰ波で透過させるようにしている。こうして、青紫ＰＢＳ７の反射をＳ波とし、青紫ＰＢＳ７の透過をＰ波とすることによって、青紫ＰＢＳ７による安定した分岐特性を得ることができる。
【００５９】
尚、本実施の形態においては、上記青紫色レーザー発光装置３からの出射光の偏向方向を、青紫ＰＢＳ７に対してＰ波としている。しかしながら、この発明は、これに限定されるものではなく、出射光の偏向方向を、青紫ＰＢＳ７に対してＳ波とすることも可能である。但し、この場合には、ＢＤとＨＤ‐ＤＶＤとに対する１/２波長板４の出し入れを図１および図３とは逆にして、つまりＢＤの場合には１/２波長板４を抜き出す一方、ＨＤ‐ＤＶＤの場合には１/２波長板４を挿入して、対物レンズ１１および回折型対物レンズ１７に光束が導かれるようにする必要がある。こうすれば、青紫ＰＢＳ７の反射をＳ波とし、青紫ＰＢＳ７の透過をＰ波とすることができ、青紫ＰＢＳ７による安定した分岐特性を得ることができる。
【００６０】
・第２実施の形態
図７および図８は、本実施の形態の光ピックアップ装置における構成を示す図である。本実施の形態における光ピックアップ装置は立ち上げミラー２１,２２を有しており、その他の構成においては、上記第１実施の形態の場合と同様であり、上記第１実施の形態の場合と同じ番号を付している。
【００６１】
図７および図８は、ＢＤに対する動作を示している。但し、図７は平面図であり、図８は側面図である。上記第１実施の形態の場合と同様に、青紫色レーザー発光装置３を出射した青紫ＰＢＳ７に対してＰ波の光束は、１/２波長板４,青紫ＰＢＳ７,全反射ミラー８および１/４波長板９を介して、収差補正機能が付加されたコリメートレンズ１０に入射され、コリメートレンズ１０を通過して平行光となる。その後、立ち上げミラー２１によって略直角に反射され、対物レンズ１１によってＢＤディスク１２に照射されて、信号の書き込みあるいは読み出しが行われる。
【００６２】
さらに、上記ＢＤディスク１２からの反射光は、上述とは逆の経路によって青紫ＰＢＳ７に入射され、青紫ＰＢＳ７を透過した光は、赤ＰＢＳ６および赤外ＰＢＳ５を透過してシリンドリカルレンズ１３に入射される。
【００６３】
図９および図１０は、ＨＤ‐ＤＶＤに対する動作の説明図である。但し、図９は平面図であり、図１０は側面図である。図９および図１０において、上記第１実施の形態の場合と同様に、青紫色レーザー発光装置３を出射した青紫ＰＢＳ７に対してＰ波の光束は、青紫ＰＢＳ７および１/４波長板１５を介してコリメートレンズ１６に入射され、コリメートレンズ１６を通過して平行光となる。その後、立ち上げミラー２２によって略直角に反射され、回折型対物レンズ１７によってＨＤ‐ＤＶＤディスク１８aに照射されて、信号の書き込みあるいは読み出しが行われる。
【００６４】
さらに、上記ＨＤ‐ＤＶＤディスク１８aからの反射光は、上述とは逆の経路によって青紫ＰＢＳ７に入射され、青紫ＰＢＳ７で反射された光は、赤ＰＢＳ６および赤外ＰＢＳ５を透過してシリンドリカルレンズ１３に入射される。
【００６５】
また、ＤＶＤおよびＣＤに対する動作も、図９および図１０に示すＨＤ‐ＤＶＤに対する動作に準じて、上記第１実施の形態の場合と同様にして行われる。
【００６６】
このように、本実施の形態においては、上記コリメートレンズ１０,１６を通過した平行光を、立ち上げミラー２１,２２によって略直角に反射させるようにしている。したがって、ＢＤディスク１２およびＨＤ‐ＤＶＤ,ＤＶＤ,ＣＤディスク１８a,１８b,１８cを水平に配置した場合に、本実施の形態の光ピックアップ装置の高さは、立ち上げミラー２１(または立ち上げミラー２２)の高さと対物レンズ１１(または回折型対物レンズ１７)の厚みとで定まる。したがって、全反射ミラー８の高さと１/４波長板９の厚みとコリメートレンズ１０の厚みと対物レンズ１１の厚みとで定まる上記第１実施の形態の光ピックアップ装置の高さに比して、十分に低くすることができる。
【００６７】
その場合、上記立ち上げミラー２１および立ち上げミラー２２には偏光特性がなく、偏光方向に左右されない透過反射特性を有する。したがって、立ち上げミラー２１,２２を挿入しても、上記第１実施の形態の場合と全く同じ光学特性を呈することができる。
【００６８】
その結果、本実施の形態によれば、光ピックアップ装置の薄型化を図ることが可能になるのである。
【００６９】
・第３実施の形態
図１１および図１２は、本実施の形態の光ピックアップ装置における構成を示す図である。本実施の形態における光ピックアップ装置は、上記第２実施の形態における赤外レーザー発光装置１および赤色レーザー発光装置２の代わりに、ＣＤ用とＤＶＤ用との２波長レーザー発光装置３１を用いている。また、その他の構成においては、上記第２実施の形態の場合と同様であり、上記第２実施の形態の場合と同じ番号を付している。但し、本実施の形態においては、赤外レーザー発光装置１の削除に伴って赤外ＰＢＳ５が削除されており、シリンドリカルレンズ１３と受光素子１４との間に回折性同軸化素子３２が配置されている。
【００７０】
図１１および図１２は、ＤＶＤに対する動作を示す。但し、図１１は平面図であり、図１２は側面図である。２波長レーザー発光装置３１における赤色レーザー３１bから出射された光束は、赤ＰＢＳ６で反射され、青紫ＰＢＳ７で再度反射される。その後に、１/４波長板１５で円偏光に変換され、コリメートレンズ１６で平行光になり、立ち上げミラー２２によって略直角に反射され、回折型対物レンズ１７によってＤＶＤディスク１８bに照射されて、信号の書き込みあるいは読み出しが行われる。
【００７１】
さらに、上記ＤＶＤディスク１８bからの反射光は、上述とは逆の経路によって青紫ＰＢＳ７に入射され、青紫ＰＢＳ７で反射された光は、赤ＰＢＳ６を透過してシリンドリカルレンズ１３に入射され、シリンドリカルレンズ１３によってフォーカスエラー信号が生成され、回折性同軸化素子３２によって受光素子１４に導かれ、受光素子１４でＲＦ信号とトラッキングエラー信号とフォーカスエラー信号とが検出される。
【００７２】
また、ＣＤに対する動作は、上記２波長レーザー発光装置３１における赤外レーザー３１aから出射された光束は、赤ＰＢＳ６で反射され、以下、上記ＤＶＤの場合と同様に動作する。また、ＢＤおよびＨＤ‐ＤＶＤに対応する動作は、上記第２実施の形態の場合と同様の動作である。
【００７３】
このように、本実施の形態においては、上記赤外レーザー３１aと赤色レーザー３１bとを搭載した２波長レーザー発光装置３１を用いている。したがって、本実施の形態においては、赤外レーザー発光装置１および赤外ＰＢＳ５を削除することができ、部品点数の削減と高信頼性とを得ることができる。
【００７４】
・第４実施の形態
図１３〜図１６は、本実施の形態の光ピックアップ装置における構成を示す図である。本実施の形態は、ＢＤディスク４８とＨＤ‐ＤＶＤディスク４９aとに対応可能な光ピックアップ装置に関する。図１３および図１５は、本光ピックアップ装置の側面図であり、図１４および図１６は平面図である。
【００７５】
図１３〜図１６において、４１は、青紫色レーザー４１aと受光素子４１bとホログラム素子４１cとを有する青紫色ホログラムレーザー発光装置である。また、４２は収差補正機能が付加されたコリメートレンズであり、４３は１/４波長板であり、４４は透過と反射とが略半分で分岐されるハーフミラーであり、４５は全反射ミラーであり、４６は対物レンズであり、４７は回折型対物レンズである。ここで、ハーフミラー４４と全反射ミラー４５とには偏光特性がなく、偏光方向に左右されない透過反射特性を有する。
【００７６】
上記構成において、ＢＤディスクに対して記録再生を行う場合には、図１３および図１４に示すように、青紫色ホログラムレーザー発光装置４１の青紫色レーザー４１aから出射された青紫色レーザー光は、コリメートレンズ４２で平行光とされ、１/４波長板４３で円偏光に変換され、ハーフミラー４４を透過し、全反射ミラー４５で反射され、対物レンズ４６によってＢＤディスク４８に照射される。また、ＢＤディスク４８からの反射光は、上述とは逆の経路を辿って青紫色ホログラムレーザー発光装置４１のホログラム素子４１cに入射される。そして、ホログラム素子４１cによって回折された１次回折光が、青紫色ホログラムレーザー発光装置４１の受光素子４１bによって受光される。
【００７７】
また、ＨＤ‐ＤＶＤディスクに対して記録再生を行う場合には、図１５および図１６に示すように、青紫色ホログラムレーザー発光装置４１の青紫色レーザー４１aから出射された青紫色レーザー光は、コリメートレンズ４２で平行光とされ、１/４波長板４３で円偏光に変換され、ハーフミラー４４で反射され、回折型対物レンズ４７によってＨＤ‐ＤＶＤディスク４９aに照射される。また、ＨＤ‐ＤＶＤディスク４９aからの反射光は、上述とは逆の経路を辿って青紫色ホログラムレーザー発光装置４１のホログラム素子４１cに入射される。そして、ホログラム素子４１cによって回折された１次回折光が、青紫色ホログラムレーザー発光装置４１の受光素子４１bによって受光される。
【００７８】
以上のごとく、本実施の形態においては、上記ハーフミラー４４および全反射ミラー４５によって、光束を立ち上げるようにしている。したがって、上記第２実施の形態の場合と同様に、光ピックアップ装置の薄型化を図ることが可能になる。さらに、青紫色レーザー４１aと受光素子４１bとホログラム素子４１cとを有する青紫色ホログラムレーザー発光装置４１を用いるので、青紫色レーザー発光装置と受光素子とを個別に設ける必要がない。したがって、部品点数を少なくして構成を簡単にすることができる。
【００７９】
尚、上記構成において、上記ＢＤディスク４８用の対物レンズ４６とＨＤ‐ＤＶＤディスク４９a用の回折型対物レンズ４７との配置を入れ換えても差し支えない。その場合には、ＢＤディスク４８とＨＤ‐ＤＶＤディスク４９aとの設置位置も逆になる。対物レンズ４６と回折型対物レンズ４７との配置は、本光ピックアップ装置のアクチュエータ構造に応じて適宜選択すればよい。その場合、何れの配置を採用しても、簡略化された構造を有する光ピックアップ装置を得ることができる。
【００８０】
・第５実施の形態
図１７〜図２４は、本実施の形態の光ピックアップ装置における構成を示す図である。本実施の形態は、ＢＤ用対物レンズをＢＤディスク専用とし、ＨＤ‐ＤＶＤ用対物レンズとしてＤＶＤとＣＤとにも対応可能な回折型レンズを採用することによって、３波長４種のディスクの記録再生が可能な光ピックアップ装置に関する。図１７,図１９,図２１および図２３は、本光ピックアップ装置の縦断面図であり、図１８,図２０,図２２および図２４は平面図である。
【００８１】
図１７および図１８に示すように、本実施の形態においては、上記第４実施の形態における青紫色ホログラムレーザー発光装置４１の位置に、赤外レーザー５１aと赤色レーザー５１bと受光素子５１cとホログラム素子５１dとを有する赤,赤外２波長ホログラムレーザー発光装置５１を配置している。そして、赤,赤外２波長ホログラムレーザー発光装置５１と収差補正機能が付加されたコリメートレンズ４２との間に、青紫波長域でのＰＢＳ機能と赤外および赤色に対するダイクロイック機能とを有するプリズムである青紫ＰＢＳ５２を配置し、青紫ＰＢＳ５２を望む位置に、青紫ＰＢＳ５２の位置で赤,赤外２波長ホログラムレーザー発光装置５１の光軸と直交する光軸を有する青紫色ホログラムレーザー発光装置５３を配置している。また、その他の構成においては、上記第４実施の形態の場合と同様であり、上記第４実施の形態の場合と同じ番号を付している。
【００８２】
上記構成において、ＢＤディスクに対して記録再生を行う場合には、図１７および図１８に示すように、青紫色ホログラムレーザー発光装置５３の青紫色レーザー５３aから出射された青紫色レーザー光は、青紫ＰＢＳ５２で反射され、コリメートレンズ４２で平行光とされ、１/４波長板４３で円偏光に変換され、ハーフミラー４４を透過し、全反射ミラー４５で反射され、対物レンズ４６によってＢＤディスク４８に照射される。さらに、ＢＤディスク４８からの反射光は、上述とは逆の経路を辿って青紫色ホログラムレーザー発光装置５３のホログラム素子５３cに入射される。そして、ホログラム素子５３cによって回折された１次回折光が、青紫色ホログラムレーザー発光装置５３の受光素子５３bによって受光される。
【００８３】
また、ＨＤ‐ＤＶＤディスクに対して記録再生を行う場合には、図１９および図２０に示すように、青紫色ホログラムレーザー発光装置５３の青紫色レーザー５３aから出射された青紫色レーザー光は、青紫ＰＢＳ５２で反射され、コリメートレンズ４２で平行光とされ、１/４波長板４３で円偏光に変換され、ハーフミラー４４で反射され、回折型対物レンズ４７によってＨＤ‐ＤＶＤディスク４９aに照射される。さらに、ＨＤ‐ＤＶＤディスク４９aからの反射光は、上述とは逆の経路を辿って青紫色ホログラムレーザー発光装置５３のホログラム素子５３cに入射される。そして、ホログラム素子５３cによって回折された１次回折光が、青紫色ホログラムレーザー発光装置５３の受光素子５３bによって受光される。
【００８４】
また、ＣＤディスクに対して記録再生を行う場合には、図２１および図２２に示すように、赤,赤外２波長ホログラムレーザー発光装置５１の赤外レーザー５１aから出射された赤外レーザー光は、青紫ＰＢＳ５２を透過し、コリメートレンズ４２で平行光とされ、１/４波長板４３で円偏光に変換され、ハーフミラー４４で反射され、回折型対物レンズ４７によってＣＤディスク４９cに照射される。また、ＣＤディスク４９cからの反射光は、上述とは逆の経路を辿って赤,赤外２波長ホログラムレーザー発光装置５１のホログラム素子５１dに入射される。そして、このホログラム素子５１dによって回折された１次回折光が、赤,赤外２波長ホログラムレーザー発光装置５１の受光素子５１cによって受光される。
【００８５】
また、ＤＶＤディスクに対して記録再生を行う場合には、図２３および図２４に示すように、赤,赤外２波長ホログラムレーザー発光装置５１の赤色レーザー５１b(図２３では赤外レーザー５１aの下にあって見えていない)から出射された赤色レーザー光は、青紫ＰＢＳ５２を透過し、コリメートレンズ４２で平行光とされ、１/４波長板４３で円偏光に変換され、ハーフミラー４４で反射され、回折型対物レンズ４７によってＤＶＤディスク４９bに照射される。さらに、ＤＶＤディスク４９bからの反射光は、上述とは逆の経路を辿って赤,赤外２波長ホログラムレーザー発光装置５１のホログラム素子５１dに入射される。そして、ホログラム素子５１dによって回折された１次回折光が、赤,赤外２波長ホログラムレーザー発光装置５１の受光素子５１cによって受光される。
【００８６】
上述した如く、本実施の形態によれば、上記赤,赤外２波長ホログラムレーザー発光装置５１と、青紫色ホログラムレーザー発光装置５３と、１対の対物レンズ４６,４７と、この１対の対物レンズ４６,４７に光束を導くハーフミラー４４および全反射ミラー４５とを備えることによって、上記第１実施の形態のごとく複雑な構成を必要とはせずに、３波長によって４種のディスクに対応することができる。
【００８７】
さらに、上記ＢＤに対応する対物レンズ４６をＢＤディスク専用とし、ＨＤ‐ＤＶＤに対応する対物レンズ４７をＨＤ‐ＤＶＤとＤＶＤとＣＤとの３種のディスクに対応可能な回折型レンズとしたので、ディスクのカバー層の厚みに対応した低コストの対物レンズで光学系を構成することができる。
【００８８】
尚、本実施の形態においては、上記ハーフミラー４４の反射と透過との比率を１対１に設定しているが、この発明はこれに限定されるものではない。ＢＤおよびＨＤ‐ＤＶＤの何れか一方が再生専用のパワーしか要求されない場合や、ＢＤおよびＨＤ‐ＤＶＤの何れか一方の再生性能を優先させたい場合には、ハーフミラー４４における反射と透過との比率を変えることによって、ＢＤ側とＨＤ‐ＤＶＤ側とに対するパワーの比率を例えば７対３のように設定することが可能になる。
【００８９】
・第６実施の形態
図２５〜図２８は、本実施の形態の光ピックアップ装置における構成を示す図である。本実施の形態は、上記第４実施の形態におけるハーフミラー４４および全反射ミラー４５を平板部品である平面ハーフミラー６１および全反射平面ミラー６２で構成した光ピックアップ装置に関する。図２５および図２７は、本光ピックアップ装置の縦断面図であり、図２６および図２８は平面図である。
【００９０】
上記構成において、ＢＤディスクに対して記録再生を行う場合は、図２５および図２６に示すように、青紫色ホログラムレーザー発光装置４１の青紫色レーザー４１aから出射された青紫色レーザー光は、コリメートレンズ４２で平行光とされ、１/４波長板４３で円偏光に変換され、平面ハーフミラー６１を透過し、全反射平面ミラー６２で反射され、対物レンズ４６によってＢＤディスク４８に照射される。さらに、ＢＤディスク４８からの反射光は、上述とは逆の経路を辿って青紫色ホログラムレーザー発光装置４１のホログラム素子４１cに入射される。そして、ホログラム素子４１cによって回折された１次回折光が、青紫色ホログラムレーザー発光装置４１の受光素子４１bによって受光される。
【００９１】
また、ＨＤ‐ＤＶＤディスクに対して記録再生を行う場合は、図２７および図２８に示すように、青紫色ホログラムレーザー発光装置４１の青紫色レーザー４１aから出射された青紫色レーザー光は、コリメートレンズ４２で平行光とされ、１/４波長板４３で円偏光に変換され、平面ハーフミラー６１で反射され、回折型対物レンズ４７によってＨＤ‐ＤＶＤディスク４９aに照射される。また、ＨＤ‐ＤＶＤディスク４９aからの反射光は、上述とは逆の経路を辿って、青紫色ホログラムレーザー発光装置４１のホログラム素子４１cに入射される。そして、ホログラム素子４１cによって回折された１次回折光が、青紫色ホログラムレーザー発光装置４１の受光素子４１bによって受光される。
【００９２】
上述したように、本実施の形態によれば、上記ハーフミラーおよび全反射ミラーとして安価な平板部品を用いている。したがって、安価で安定した光ピックアップ装置を得ることが可能になる。
【図面の簡単な説明】
【００９３】
【図１】この発明の光ピックアップ装置におけるＢＤに対する動作時の構成を示す図である。
【図２】図１における受光素子のパターンを示す図である。
【図３】図１に示す光ピックアップ装置におけるＨＤ‐ＤＶＤに対する動作の説明図である。
【図４】図３とは異なるＨＤ‐ＤＶＤに対する動作の説明図である。
【図５】図１に示す光ピックアップ装置のＤＶＤに対する動作の説明図である。
【図６】図１に示す光ピックアップ装置におけるＣＤに対する動作の説明図である。
【図７】図１とは異なる光ピックアップ装置におけるＢＤに対する動作を説明するための平面図である。
【図８】図７に示す光ピックアップ装置における側面図である。
【図９】図７に示す光ピックアップ装置におけるＨＤ‐ＤＶＤに対する動作を説明するための平面図である。
【図１０】図９に示す光ピックアップ装置における側面図である。
【図１１】図１および図７とは異なる光ピックアップ装置における平面図である。
【図１２】図１１に示す光ピックアップ装置における側面図である。
【図１３】図１,図７および図１１とは異なる光ピックアップ装置におけるＢＤに対する動作を説明するための側面図である。
【図１４】図１３に示す光ピックアップ装置における平面図である。
【図１５】図１３に示す光ピックアップ装置のＨＤ‐ＤＶＤに対する動作の説明図である。
【図１６】図１５に示す光ピックアップ装置における平面図である。
【図１７】図１,図７,図１１および図１３とは異なる光ピックアップ装置におけるＢＤに対する動作を説明するための側面図である。
【図１８】図１７に示す光ピックアップ装置における平面図である。
【図１９】図１７に示す光ピックアップ装置のＨＤ‐ＤＶＤに対する動作の説明図である。
【図２０】図１９に示す光ピックアップ装置における平面図である。
【図２１】図１７に示す光ピックアップ装置のＣＤに対する動作の説明図である。
【図２２】図２１に示す光ピックアップ装置における平面図である。
【図２３】図１７に示す光ピックアップ装置のＤＶＤに対する動作の説明図である。
【図２４】図２３に示す光ピックアップ装置における平面図である。
【図２５】図１,図７,図１１,図１３および図１７とは異なる光ピックアップ装置におけるＢＤに対する動作を説明するための側面図である。
【図２６】図２５に示す光ピックアップ装置における平面図である。
【図２７】図２５に示す光ピックアップ装置のＨＤ‐ＤＶＤに対する動作の説明図である。
【図２８】図２７に示す光ピックアップ装置における平面図である。
【符号の説明】
【００９４】
１…赤外レーザー発光装置、
２…赤色レーザー発光装置、
３…青紫色レーザー発光装置、
４…１/２波長板、
４a…平板ガラスあるいは平板樹脂、
５…赤外ＰＢＳ、
６…赤ＰＢＳ、
７,５２…青紫ＰＢＳ、
８,４５…全反射ミラー、
９,１５,４３…１/４波長板、
１０,１６,４２…コリメートレンズ、
１１,４６…対物レンズ、
１２,４８…ＢＤディスク、
１３…シリンドリカルレンズ、
１４…受光素子、
１７,４７…回折型対物レンズ、
１８a,４９a…ＨＤ‐ＤＶＤディスク、
１８b,４９b…ＤＶＤディスク、
１８c,４９c…ＣＤディスク、
２１,２２…立ち上げミラー、
３１…２波長レーザー発光装置、
３２…回折性同軸化素子、
４１,５３…青紫色ホログラムレーザー発光装置、
４４…ハーフミラー、
５１…赤,赤外２波長ホログラムレーザー発光装置、
６１…平面ハーフミラー、
６２…全反射平面ミラー。
【図１】
2008130120.tif 000003
【図２】
2008130120.tif 000004
【図３】
2008130120.tif 000005
【図４】
2008130120.tif 000006
【図５】
2008130120.tif 000007
【図６】
2008130120.tif 000008
【図７】
2008130120.tif 000009
【図８】
2008130120.tif 000010
【図９】
2008130120.tif 000011
【図１０】
2008130120.tif 000012
【図１１】
2008130120.tif 000013
【図１２】
2008130120.tif 000014
【図１３】
2008130120.tif 000015
【図１４】
2008130120.tif 000016
【図１５】
2008130120.tif 000017
【図１６】
2008130120.tif 000018
【図１７】
2008130120.tif 000019
【図１８】
2008130120.tif 000020
【図１９】
2008130120.tif 000021
【図２０】
2008130120.tif 000022
【図２１】
2008130120.tif 000023
【図２２】
2008130120.tif 000024
【図２３】
2008130120.tif 000025
【図２４】
2008130120.tif 000026
【図２５】
2008130120.tif 000027
【図２６】
2008130120.tif 000028
【図２７】
2008130120.tif 000029
【図２８】
2008130120.tif 000030